(57)【要約】【課題】照明管と照明管カバーとを備えた照明灯のスリム化を可能にすると共に照明管の着脱も容易に行なえるようにする。【解決手段】  照明管１の側面１ａに対面して照明管１を直径方向両側から挟む一対の側方カバー１２を備え、該一対の側方カバー１２のうちの少なくとも一方を、照明管１に近づいたセット位置および照明管から遠ざかった退避位置の２位置の間で移動可能に構成する。【選択図】図２
0003132518.tif 000002
【実用新案登録請求の範囲】
【請求項１】
照明管の側面を覆う照明管カバーであって、
前記照明管の直径方向両側の一方の側に位置し、該照明管の直径方向両側の一方の側面に対面する対面部を有する側方カバーと、前記照明管の直径方向両側の他方の側に位置し、該照明管の直径方向両側の他方の側面に対面する対面部を有する側方カバーとからなる一対の側方カバーを備え、
該一対の側方カバーのうちの少なくとも一方が、前記照明管に近づいたセット位置および前記照明管から遠ざかった退避位置の２位置の間で移動可能に構成されていることを特徴とする照明管カバー。
【請求項２】
前記側方カバーがカバー基体に回動可能に支持されており、前記側方カバーの移動が該側方カバーの前記回動であることを特徴とする請求項１記載の照明管カバー。
【請求項３】
前記側方カバーを前記セット位置および前記退避位置に位置決めする位置決め手段を備えていることを特徴とする請求項３記載の照明管カバー。
【請求項４】
前記位置決め手段が、前記側方カバーに形成された側方カバーばね受けと、前記カバー基体に形成されたカバー基体ばね受けと、前記側方カバーばね受けに一端が係止され前記カバー基体ばね受けに他端が係止された板ばねとを備え、前記カバー基体ばね受けが、前記側方カバーが前記セット位置から前記退避位置まで回動するにつれて前記カバー基体ばね受と前記側方カバーばね受けとの距離が徐々に短くなると共に途中から徐々に長くなる位置に形成されていることを特徴とする請求項３記載の照明管カバー。
【請求項５】
前記位置決め手段が、さらに、前記側方カバーが前記退避位置から前記セット位置に来たとき該側方カバーに当接して該側方カバーのそれ以上の回動を禁止するストッパーと、前記側方カバーが前記セット位置から前記退避位置に来たとき該側方カバーに当接して該側方カバーのそれ以上の回動を禁止するストッパーとを備えていることを特徴とする請求項４記載の照明管カバー。
【請求項６】
前記一対の側方カバーの一方が、基部を前記カバー基体に回動可能に支持され、該基部から前記照明管の直径方向両側の一方に向けて延びた側片部と、該側片部の先端から前記照明管の直径方向両側の一方の側面に対面して延びる対面部とを備え、
前記一対の側方カバーの他方が、基部を前記カバー基体に回動可能に支持され、該基部から前記照明管の直径方向両側の他方に向けて延びた側片部と、該側片部の先端から前記照明管の直径方向両側の一方の側面に対面して延びる対面部とを備えていることを特徴とする請求項２〜５のいずれか１項記載の照明管カバー。
【請求項７】
前記照明管が、該照明管の側面に口金が形成され、該口金から口金ピンが前記照明管の長手方向に直交する方向に突出しているものであることを特徴とする請求項１〜６のいずれか１項記載の照明管カバー。
【考案の詳細な説明】
【技術分野】
【０００１】
本考案は、蛍光管等の照明管の側面に対面して該照明管を直径方向両側から挟む一対の側方カバーを備えた照明管カバーに関する。
【背景技術】
【０００２】
従来より、蛍光灯は蛍光管と該蛍光管の側面の一部を覆う蛍光管カバーとで構成されることが多い。蛍光管カバーとしては、蛍光管の側面に対面して該蛍光管を直径方向両側から挟む側方カバーを備えているのが一般的である。
【０００３】
一方、例えば特許文献１に記載されているように、蛍光管として、口金が蛍光管の側面に設けられ、口金ピンが蛍光管の長手方向に直交する方向に突出した側面口金タイプの蛍光管が知られている。このような側面口金タイプの蛍光管のソケットへの取り付け取り外し（口金ピンのソケットへの挿入引き抜き）は、蛍光管を持って口金ピンが延びる方向に押し込みあるいは引き抜くことにより行なわれるが、特に取り外す際は、蛍光管の直径方向両側ないしは直径方向両側よりさらに奥側（ソケット側）に指を差し込んで引き抜く必要がある。
【特許文献１】特開２００４−３６３０２９号公報
【考案の開示】
【考案が解決しようとする課題】
【０００４】
ところで、各種の部屋やショウウインドウ等に蛍光灯を設置するに当り、種々の理由により幅（蛍光管の長手方向に直交する方向の長さ）の狭いスリムな蛍光灯を設置したいという場合がある。
【０００５】
そのような場合、蛍光管カバーの幅（蛍光管の長手方向に直交する方向の長さ）を小さくすること（蛍光灯のスリム化）が必要になるが、そのように蛍光管カバーの幅を小さくすると、必然的に蛍光管と蛍光管カバーとの距離、つまり、蛍光管カバーのうち蛍光管の直径方向両側に位置して蛍光管の側面に対面する側方カバーと蛍光管との間の距離が短くなり、そこに指を入れることができず、前述の側面口金タイプの蛍光管の着脱が困難になるので、蛍光灯のスリム化には限界があるという問題があった。
【０００６】
上記問題は、側面口金タイプの蛍光管の場合顕著であるが、蛍光管の長手方向両端面に口金が設けられ、口金ピンが蛍光管の長手方向に突出している通常タイプの蛍光管の場合であっても同様に存在する。また、上記問題は、蛍光管に限らず、白熱照明管、ＬＥＤ照明管等のあらゆる種類の光源の照明管を用いた照明灯においても存在する。
【０００７】
本考案の目的は、上記事情に鑑み、蛍光灯等の照明灯のより一層のスリム化を可能にすると共に照明管の着脱も容易に行なえるようにした照明管カバーを提供することにある。
【課題を解決するための手段】
【０００８】
本考案の照明管カバーは、上記目的を達成するため、
照明管の側面を覆う照明管カバーであって、
前記照明管の直径方向両側の一方の側に位置し、該照明管の直径方向両側の一方の側面に対面する対面部を有する側方カバーと、前記照明管の直径方向両側の他方の側に位置し、該照明管の直径方向両側の他方の側面に対面する対面部を有する側方カバーとからなる一対の側方カバーを備え、
該一対の側方カバーのうちの少なくとも一方が、前記照明管に近づいたセット位置および前記照明管から遠ざかった退避位置の２位置の間で移動可能に構成されていることを特徴とする。
【０００９】
前記対面部は、照明管の側面に対面して照明管の直径方向両側から照明管を挟むように位置している部分であり、照明管の着脱時に照明管と対面部との間の隙間に指を入れて照明管を持って作業をすることになる部分を意味する。
【００１０】
上記セット位置は、照明灯の通常使用状態において側方カバーが位置している位置であり、「照明管に近づいた」は退避位置にある場合よりも近づいた、「照明管から遠ざかった」はセット位置にある場合よりも遠ざかったという相対的な意味である。
【００１１】
前記照明管カバーにおいては、前記側方カバーをカバー基体に回動可能に支持させ、前記側方カバーの移動を該側方カバーの前記回動とすることができる。
【００１２】
前記照明管カバーにおいては、前記側方カバーを前記セット位置および前記退避位置に位置決めする位置決め手段を備えることができる。
【００１３】
前記位置決め手段は、前記側方カバーに形成された側方カバーばね受けと、前記カバー基体に形成されたカバー基体ばね受けと、前記側方カバーばね受けに一端が係止され前記カバー基体ばね受けに他端が係止された板ばねとを備え、前記カバー基体ばね受けを、前記側方カバーが前記セット位置から前記退避位置まで回動するにつれて前記カバー基体ばね受と前記側方カバーばね受けとの距離が徐々に短くなると共に途中から徐々に長くなる位置に形成することにより構成することができる。
【００１４】
前記位置決め手段は、さらに、前記側方カバーが前記退避位置から前記セット位置に来たとき該側方カバーに当接して該側方カバーのそれ以上の回動を禁止するストッパーと、前記側方カバーが前記セット位置から前記退避位置に来たとき該側方カバーに当接して該側方カバーのそれ以上の回動を禁止するストッパーとを備えることができる。
【００１５】
前記一対の側方カバーの一方は、基部を前記カバー基体に回動可能に支持され、該基部から前記照明管の直径方向両側の一方に向けて延びた側片部と、該側片部の先端から前記照明管の直径方向両側の一方の側面に対面して延びる対面部とで構成し、前記一対の側方カバーの他方は、基部を前記カバー基体に回動可能に支持され、該基部から前記照明管の直径方向両側の他方に向けて延びた側片部と、該側片部の先端から前記照明管の直径方向両側の一方の側面に対面して延びる対面部とで構成することができる。
【００１６】
前記照明管カバーは、照明管の側面に口金が形成され、該口金から口金ピンが前記照明管の長手方向に直交する方向に突出している側面口金タイプの照明管用の照明管カバーとすることができる。
【考案の効果】
【００１７】
本考案は、上記のように、照明管の直径方向両側の一方の側に位置し、該照明管の直径方向両側の一方の側面に対面する対面部を有する側方カバーと、前記照明管の直径方向両側の他方の側に位置し、該照明管の直径方向両側の他方の側面に対面する対面部を有する側方カバーとからなる一対の側方カバーを備え、該一対の側方カバーのうちの少なくとも一方が、前記照明管に近づいたセット位置および前記照明管から遠ざかった退避位置の２位置の間で移動可能に構成されているので、照明管の着脱時には側方カバーを退避位置に移動させることにより、側方カバーと照明管との間隔、特に側方カバーの対面部と照明管との間隔を大きくして照明管を直径方向両側からあるいはそれよりさらに奥側を指で持って着脱することができるので、セット位置における側方カバーを照明管着脱の作業性を気にすることなく十分照明管に近づけて配置することができ、着脱の作業性と照明灯のスリム化の両立を図ることができる。
【００１８】
また、位置決め手段を、前記側方カバーに形成された側方カバーばね受けと、前記カバー基体に形成されたカバー基体ばね受けと、前記側方カバーばね受けに一端が係止され前記カバー基体ばね受けに他端が係止された板ばねとを備え、前記カバー基体ばね受けが、前記側方カバーが前記セット位置から前記退避位置まで回動するにつれて前記カバー基体ばね受と前記側方カバーばね受けとの距離が徐々に短くなると共に途中から徐々に長くなる位置に形成することにより構成した場合は、側方カバーを簡単な構成で容易にセット位置および退避位置に位置決めすることができると共に、側方カバーを手で押すあるいは引っ張ることにより簡単に回避位置からセット位置にあるいはセット位置から退避位置に移動させることができる。
【考案を実施するための最良の形態】
【００１９】
以下、本考案に係る照明管カバーの実施形態について説明する。図１は本考案に係る照明管カバーの実施形態の要部を示す正面図、図２は図１におけるII−II線断面図、図３は図２において側方カバーが回動して退避位置に位置している状態を示す断面図、図４は図１の蛍光管カバーをカバー端板を取り外して矢印Ｂ方向から見た端面図、図５は図１におけるＶ−Ｖ線断面図であって、特に側方カバーおよび板ばねを示す図、図６は図１におけるＶ−Ｖ線断面図であって、特にセンターカバーおよびソケットを示す図、図７は側面口金タイプの蛍光管を示す図である。なお、以下の説明において「前」、「後」は図２に矢印で示す方向を意味する。
【００２０】
図１〜図５に示す照明管カバーは、図７に示す側面口金タイプの蛍光管に使用する蛍光管カバーである。側面口金タイプの蛍光管１は、細長い蛍光管であって、該蛍光管１の長手方向両端近傍において蛍光管の側面１ａに取り付けられた口金２を備え、口金２からは蛍光管１の長手方向に直交する方向に向けて口金ピン３が突出している。
【００２１】
蛍光管カバー１０は、図１〜図５に示すように、細長い蛍光管１が取り付けられて該蛍光管１を直径方向両側から覆うものであり、蛍光灯の設置面Ｆに固設されるカバー基体１１と、該カバー基体１１に回動可能に保持された、蛍光管１の直径方向両側に位置し、該蛍光管１の側面に対面する対面部１２ａを有する一対の側方カバー１２と、蛍光管１の長手方向両端に設けられたカバー端板１３とを備えている。
【００２２】
カバー基体１１は、設置面Ｆに固設される基体底板１１ａと、基体底板１１ａの両端から上方に延びた一対の基体側板１１ｂとからなる断面コ字状であって、蛍光管１が延びる方向に長く延びている。基体側板１１ｂの上端部には側方カバー１２を回動可能に支持するための支持部１１ｃが形成されている。
【００２３】
カバー基体１１内には、その基体底板１１ａ上にカバー基体の長手方向に延びる基台２０が固設されると共に、基台２０の長手方向両端部には、蛍光管の口金ピン３が挿入されるソケット２１と、蛍光管の口金３を挟持して蛍光管１の脱落を防ぐブラケット２２とが固設されている。ソケット２１は上面側にピン挿入孔２１ａが開口している。また、基台２０には、基台２０の長手方向に延びるセンターカバー２３が両ソケット２１間にわたって設けられている。センターカバー２３は支柱２４を介して基台２０に固設されている。
【００２４】
一対の側方カバー１２は、蛍光管１の直径方向両側に位置し、該蛍光管１の側面に対面する対面部１２ａを備え、図２中実線で示すセット位置と二点鎖線で示す退避位置とを取り得るように該２位置の間を矢印Ａ方向に回動可能にカバー基体１１に支持されている。具体的には、側方カバー１２は、対面部１２ａと側片部１２ｂとを備えており、側片部１２ｂは、基部１２ｃがカバー基体の支持部１１ｃに回動可能に支持されると共に、基部１２ｃから蛍光管１の直径方向両側に向けて蛍光管１を挟むように延びており、対面部１２ａは、蛍光管１の後ろ側に位置すべく、側片部１２ｂの先端から蛍光管１の側面１ａに対面して該側面１ａに沿って蛍光管カバーの幅方向（蛍光管の長手方向に直交する方向）中央に向けて延びている。
【００２５】
側方カバー１２は、図１、図２等に示されているように、セット位置に位置しているとき先端（対面部の先端）１２ｄがセンターカバー２３の側面に当接している。側方カバー１２のソケット２１に対応する部分には、セット位置に回動したときにソケット２１と緩衝するのを避けるため切欠部１２ｅが形成されている。
【００２６】
前述の基体側板１１ｂに形成された支持部１１ｃは、基体側板１１ｂの外面に開口して内側上方に円弧状に延びた嵌合溝１１ｄと、該嵌合溝１１ｄの開口近傍の上面によって形成される回動支点１１ｅとを備えており、側片カバー１２の基部（側片部の基部）１２ｃは内側に円弧状に湾曲し、この円弧状の基部１２ｃが嵌合溝１１ｄに嵌入されている。
【００２７】
また、カバー基体の基体側板１１ｂには、支持部１１ｃの上方にばね受け１４が形成されると共に側方カバー１２の先端部にもばね受け１５が形成されており、板ばね１６が、上方に向けて凸に湾曲した状態で、一端をカバー基体ばね受け１４に、他端を側方カバーばね受け１５に係止されて両ばね受け１４，１５間に設けられている。板ばね１６は側方カバー１６の長手方向全域において所定間隔をあけて複数配置されている。
【００２８】
側方カバー１２は、回動支点１１ｅを回動中心として、該回動支点１１ｅに基部１２ｃを摺接させながら、図２中実線で示すセット位置（蛍光灯の通常使用状態における位置）と二点差線で示す退避位置との間を回動可能であると共に両位置において位置決め可能に構成されており、両ばね受け１４，１５と板ばね１６とが位置決め手段を構成している。より詳しくは、カバー基体ばね受け１４が、側方カバー１２がセット位置から退避位置に向けて回動するにつれて、カバー基体ばね受け１４から側方カバーばね受け１５までの距離が徐々に短くなると共に途中から徐々に長くなり、退避位置にあるときの前記距離はセット位置にあるときの前記距離と同一となる位置に形成されている。
【００２９】
また、側方カバー１２が退避位置にあるとき、側方カバーの基部１２ｃの後端が嵌合溝１１ｄの後面に当接して該後面がストッパーとして機能し（図３参照）、これにより退避位置からさらに先（セット位置とは反対の方向）への回動は不可能に構成されている。
【００３０】
さらに、側方カバー１２がセット位置にあるとき、側方カバーの先端１２ｄがセンターカバー２３の側面に当接して該センターカバー２３がストッパーとして機能し、これによりセット位置からさらに先（退避位置とは反対の方向）への回動は不可能に構成されている。
【００３１】
上記の構成により、側方カバー１２がセット位置にあるとき該セット位置から外方へ回動しようとするとカバー基体ばね受け１４と側方カバーばね受け１５との距離は短くなり、板ばね１６をさらに曲げなければならず、この板ばね１６の抗力により側方カバー１２はセット位置に位置決めされると共に、側方カバー１２が退避位置にあるとき該退避位置から内方へ回動しようとするとカバー基体ばね受け１４と側方カバーばね受け１５との距離は短くなり、板ばね１６をさらに曲げなければならず、この板ばね１６の抗力により側方カバー１２は退避位置に位置決めされる。勿論、セット位置から退避位置へ、退避位置からセット位置へ回動させる場合は、作業者が側方カバー１２を手で持って板ばね１６の抗力以上の力で板ばね１６をさらに湾曲させながら回動させることでセット位置および退避位置に向けて回動させることができる。
【００３２】
本実施の形態においてカバー基体ばね受け１４が上記のような位置に形成されていることは、図２に示す、回動支点１１ｅを中心として側方カバー１２が回動するときの側方カバーばね受け１５の回動軌跡を示す曲線Ｅと、側方カバー１２がセット位置にあるときのカバー基体ばね受け１４と側方カバーばね受け１５との距離を半径としカバー基体ばね受け１４を中心とする円弧を示す曲線Ｆ（曲線Ｆ上の点はいずれの点もカバー基体ばね受け１４からの距離が等しい）との２つの曲線の関係から理解することができる。
【００３３】
なお、前記口金２には側面に凸条２ａが形成されており、一方前記ブラケット２２は板ばね状のブラケット片２２ａを備え、ブラケット片２２ａには内側に向けて突出する屈曲部２２ｂが形成されており、蛍光管の口金ピン３をソケットのピン挿入孔２１ａに挿入するときは、口金２によってブラケット片２２ａが押し広げられ、凸条２ａが屈曲部２２ｂを超えて屈曲部２２ｂの後方に位置した状態で凸条２ａの前面が屈曲部２２ｂの後面で押えられて蛍光管１のソケット２１からの抜け出し防止が図られる。
【００３４】
上記のように、本実施形態の蛍光管カバーは、側方カバーをセット位置と退避位置との間で回動可能に構成しているので、蛍光管の着脱時には、側方カバーを蛍光管から遠ざかる退避位置に回動位置させることにより、蛍光管と側方カバーとの間隔、特に蛍光管と側方カバーの対面部との間隔を図３に示すように十分大きくすることができ、容易に蛍光管を持って着脱作業を行なうことができると共に、セット位置においては着脱作業のことを配慮することなく側方カバーを蛍光管の極近傍に位置させることができ、蛍光灯のスリム化を図ることができる。
【００３５】
上記実施形態は側面口金タイプの蛍光管を対象としたカバーであったが、本考案のカバーは、口金が蛍光管の長手方向両端に設けられて口金ピンが蛍光管の長手方向に突出している通常タイプの蛍光管を対象とするカバーであっても良く、また、例えば白熱照明管、ＬＥＤ照明管等、蛍光管以外の種々の光源を利用した照明管を対象とするカバーであっても良い。即ち本考案のカバーは、光源の種類や形状等がどのような照明管であっても対象とすることができるものである。
【００３６】
また、上記実施形態では、一対の側方カバーの双方が回動可能に構成されているが、一方の側方カバーのみ回動させれば蛍光管等の照明管の着脱が可能になる場合は、一方の側方カバーのみ回動可能に構成してもよい。
【図面の簡単な説明】
【００３７】
【図１】本考案に係る照明管カバーの実施形態の要部を示す平面図
【図２】図１におけるII−II線断面図
【図３】図２において側方カバーが回動して退避位置に位置している状態の断面図
【図４】図１の蛍光管カバーをカバー端板を取り外して矢印Ｂ方向から見た端面図
【図５】図１におけるＶ−Ｖ線断面図（側方カバー部および板ばねを示す図）
【図６】図１におけるＶ−Ｖ線断面図（ソケット部およびセンターカバーを示す図）
【図７】側面口金タイプの蛍光管を示す斜視図
【符号の説明】
【００３８】
１      蛍光管
１ａ    蛍光管側面
２      口金
３      口金ピン
１０    蛍光管カバー
１１    カバー基体
１２    側方カバー
１２ａ  対面部
１２ｂ  側片部
１４    カバー基体ばね受け
１５    側方カバーばね受け
１６    板ばね
【図１】
0003132518.tif 000003
【図２】
0003132518.tif 000004
【図３】
0003132518.tif 000005
【図４】
0003132518.tif 000006
【図５】
0003132518.tif 000007
【図６】
0003132518.tif 000008
【図７】
0003132518.tif 000009
【手続補正書】
【提出日】平成19年3月29日(2007.3.29)
【手続補正１】
【補正対象書類名】実用新案登録請求の範囲
【補正対象項目名】全文
【補正方法】変更
【補正の内容】
【実用新案登録請求の範囲】
【請求項１】
照明管の側面を覆う照明管カバーであって、
前記照明管の直径方向両側の一方の側に位置し、該照明管の直径方向両側の一方の側面に対面する対面部を有する側方カバーと、前記照明管の直径方向両側の他方の側に位置し、該照明管の直径方向両側の他方の側面に対面する対面部を有する側方カバーとからなる一対の側方カバーを備え、
該一対の側方カバーのうちの少なくとも一方が、前記照明管に近づいたセット位置および前記照明管から遠ざかった退避位置の２位置の間で移動可能に構成されていることを特徴とする照明管カバー。
【請求項２】
前記側方カバーがカバー基体に回動可能に支持されており、前記側方カバーの移動が該側方カバーの前記回動であることを特徴とする請求項１記載の照明管カバー。
【請求項３】
前記側方カバーを前記セット位置および前記退避位置に位置決めする位置決め手段を備えていることを特徴とする請求項２記載の照明管カバー。
【請求項４】
前記位置決め手段が、前記側方カバーに形成された側方カバーばね受けと、前記カバー基体に形成されたカバー基体ばね受けと、前記側方カバーばね受けに一端が係止され前記カバー基体ばね受けに他端が係止された板ばねとを備え、前記カバー基体ばね受けが、前記側方カバーが前記セット位置から前記退避位置まで回動するにつれて前記カバー基体ばね受と前記側方カバーばね受けとの距離が徐々に短くなると共に途中から徐々に長くなる位置に形成されていることを特徴とする請求項３記載の照明管カバー。
【請求項５】
前記位置決め手段が、さらに、前記側方カバーが前記退避位置から前記セット位置に来たとき該側方カバーに当接して該側方カバーのそれ以上の回動を禁止するストッパーと、前記側方カバーが前記セット位置から前記退避位置に来たとき該側方カバーに当接して該側方カバーのそれ以上の回動を禁止するストッパーとを備えていることを特徴とする請求項４記載の照明管カバー。
【請求項６】
前記一対の側方カバーの一方が、基部を前記カバー基体に回動可能に支持され、該基部から前記照明管の直径方向両側の一方に向けて延びた側片部と、該側片部の先端から前記照明管の直径方向両側の一方の側面に対面して延びる対面部とを備え、
前記一対の側方カバーの他方が、基部を前記カバー基体に回動可能に支持され、該基部から前記照明管の直径方向両側の他方に向けて延びた側片部と、該側片部の先端から前記照明管の直径方向両側の一方の側面に対面して延びる対面部とを備えていることを特徴とする請求項２〜５のいずれか１項記載の照明管カバー。
【請求項７】
前記照明管が、該照明管の側面に口金が形成され、該口金から口金ピンが前記照明管の長手方向に直交する方向に突出しているものであることを特徴とする請求項１〜６のいずれか１項記載の照明管カバー。